(57)【要約】【課題】短い期間に高い頻度で出現し、その他の期間には出現頻度の少ない話題キーワードや、一定期間内に高い頻度で出現する話題キーワードを確実に抽出する。【解決手段】番組情報を形態素解析部１４で単語に分割し、単語分割された番組情報を話題着目期間設定部１６により設定された期間により着目期間とそれ以外の番組情報とに分割して各々を着目期間番組情報蓄積部１９および着目期間以外番組情報蓄積部１８に蓄積し、着目期間に蓄積された番組情報と着目期間以外の番組情報の両者から話題キーワード計算部２０で着目期間の話題キーワードを計算し、計算された話題キーワードを話題キーワード出力文合成部２１でユーザに伝達するための文として生成する。【選択図】図１
2005122254.tif 000002
【特許請求の範囲】
【請求項１】
話題キーワードを抽出する話題着目期間を設定する話題着目期間設定部と、前記話題着目期間に応じて番組情報に含まれる単語を選択する番組情報選択部と、前記話題着目期間に対応して選択された番組情報に含まれる単語と前記話題着目期間に対応して選択されなかった番組情報に含まれる単語とを用いて前記話題着目期間の話題キーワードを計算する話題キーワード計算部とを有することを特徴とするキーワード抽出提供装置。
【請求項２】
前記計算された話題キーワードをユーザに伝達するための文として生成する話題キーワード出力文合成部を更に含む請求項１記載のキーワード抽出提供装置。
【請求項３】
前記話題着目期間設定部が、特定の一日であることを特徴とする請求項１又は２記載のキーワード抽出提供装置。
【請求項４】
前記話題着目期間設定部が、一定期間であることを特徴とする請求項１又は２記載のキーワード抽出提供装置。
【請求項５】
前記話題着目期間設定部は、更に、入力部を含み、前記入力部によりユーザが話題着目期間を設定することを特徴とする請求項１ないし４のいずれか記載のキーワード抽出提供装置。
【請求項６】
話題キーワードを抽出する話題着目期間を設定する話題着目期間設定ステップと、前記話題着目期間に応じて番組情報に含まれる単語を選択する番組情報選択ステップと、前記話題着目期間に対応して選択された番組情報に含まれる単語と前記話題着目期間に対応して選択されなかった番組情報に含まれる単語とを用いて前記話題着目期間の話題キーワードを計算する話題キーワード計算ステップと有することを特徴とするキーワード抽出提供方法。
【請求項７】
前記計算された話題キーワードをユーザに伝達するための文として生成する話題キーワード出力文合成ステップを更に含むことを特徴とする請求項６記載のキーワード抽出提供方法。
【請求項８】
前記話題着目期間設定ステップで設定される話題着目期間が、特定の一日であることを特徴とする請求項６又は７記載のキーワード抽出提供方法。
【請求項９】
前記話題着目期間設定ステップで設定される話題着目期間が、一定期間であることを特徴とする請求項６又は７記載のキーワード抽出提供方法。
【請求項１０】
前記話題着目期間設定ステップで設定される話題着目期間は、ユーザが入力部により設定可能であることを特徴とする請求項６ないし１０のいずれか記載のキーワード抽出提供方法。
【請求項１１】
話題キーワードを抽出する話題着目期間を設定する話題着目期間設定ステップと、前記話題着目期間に応じて番組情報に含まれる単語を選択する番組情報選択ステップと、前記話題着目期間に対応して選択された番組情報に含まれる単語と前記話題着目期間に対応して選択されなかった番組情報に含まれる単語とを用いて前記話題着目期間の話題キーワードを計算する話題キーワード計算ステップとを実行するプログラムが記憶されたことを特徴とする記録媒体。
【請求項１２】
前記計算された話題キーワードをユーザに伝達するための文として生成する話題キーワー
ド出力文合成ステップを更に含むことを特徴とする請求項１１記載の記録媒体。
【請求項１３】
前記話題着目期間設定ステップで設定される話題着目期間が、特定の一日であることを特徴とする請求項１１又は１２記載の記録媒体。
【請求項１４】
前記話題着目期間設定ステップで設定される話題着目期間が、一定期間であることを特徴とする請求項１１又は１２記載の記録媒体。
【請求項１５】
前記話題着目期間設定ステップで設定される話題着目期間は、ユーザが入力部により設定可能であることを特徴とする請求項１１ないし１４のいずれか記載の記録媒体。
【発明の詳細な説明】
【技術分野】
【０００１】
本発明は、地上波テレビおよび衛星テレビによって放送される番組に付随する番組の情報から話題キーワードを抽出し、ユーザに提供するキーワード抽出提供装置、キーワード提供方法およびその制御プログラムを記録した記録媒体に関するものである。
【背景技術】
【０００２】
従来、テレビ番組情報から話題キーワードを抽出し、提供する場合、特許文献１に記載されているように、話題キーワードとなりそうな単語を予め決定し、ある一定期間の出現頻度を観測し、上位のものを話題キーワードとして抽出している。
【特許文献１】特開２００１−１０１１９５号公報（第４頁、第１図）
【発明の開示】
【発明が解決しようとする課題】
【０００３】
しかし、次々と話題が移り変わる中で予め話題キーワードになる単語を適切な数にしぼって決定するのは不可能であり、最新の話題キーワードに追従していくのは困難である。また、話題キーワードになる単語を決定しないで、一般的な形態素解析ツールで単語を分割し、出現頻度を観測する場合には、話題を特徴づける固有名詞などの単語が、その他の頻出する一般名詞などの単語に埋もれてしまうので、話題キーワードを抽出するのは困難である。
【０００４】
また、単語の出現頻度を観測する対象が、一定期間の番組情報であるために、特定期間の話題キーワードが抽出可能であっても、今日１日間の話題キーワードなど短期間だけに出現する話題のキーワードを抽出することは困難である。
【０００５】
本発明は上記課題を解決するもので、今日１日間のような特定日など短い期間に高い頻度で出現し、その他の期間には出現頻度の少ない話題キーワードや、一定期間内に高い頻度で出現する話題キーワードを確実に抽出することが可能なキーワード抽出提供装置及びキーワード抽出提供方法を提供することを目的とする。
【課題を解決するための手段】
【０００６】
上記目的を達成するために本発明のキーワード抽出提供装置は、番組情報から話題キーワードを抽出する話題着目期間を設定する話題着目期間設定部と、話題着目期間により単語分割された番組情報を選択する番組情報選択部と、話題着目期間により選択された番組情報を蓄積する着目期間番組情報蓄積部と、話題着目期間により選択されなかった番組情報を蓄積する着目期間以外番組情報蓄積部と、着目期間に蓄積された番組情報と着目期間以外の番組情報から着目期間の話題キーワードを計算する話題キーワード計算部と、計算された話題キーワードをユーザに伝達するための文として生成する話題キーワード出力文合成部とを含む構成であり、話題キーワードを任意の話題着目期間を設定して、番組情報から抽出および提供するものである。
【０００７】
本発明の第１の態様によるキーワード抽出提供装置は、話題キーワードを抽出する話題着目期間を設定する話題着目期間設定部と、前記話題着目期間に応じて番組情報に含まれる単語を選択する番組情報選択部と、前記話題着目期間に対応して選択された番組情報に含まれる単語と前記話題着目期間に対応して選択されなかった番組情報に含まれる単語とを用いて前記話題着目期間の話題キーワードを計算する話題キーワード計算部とを有することを特徴とする。
【０００８】
本発明の第２の態様による発明は、第１の態様によるキーワード抽出提供装置において、前記計算された話題キーワードをユーザに伝達するための文として生成する話題キーワード出力文合成部を更に含むことを特徴とする。
【０００９】
本発明の第３の態様による発明は、第１又は第２の態様によるキーワード抽出提供装置において、前記話題着目期間設定部が、特定の一日であることを特徴とする。
【００１０】
本発明の第４の態様による発明は、第１又は第２の態様によるキーワード抽出提供装置において、前記話題着目期間設定部が、一定期間であることを特徴とする。
【００１１】
本発明の第５の態様による発明は、第１ないし４のいずれかの態様によるキーワード抽出提供装置において、前記話題着目期間設定部は、更に、入力部をもち、前記入力部によりユーザが話題着目期間を設定可能であることを特徴とする。
【００１２】
本発明の第６の態様によるキーワード抽出提供方法は、話題キーワードを抽出する話題着目期間を設定する話題着目期間設定ステップと、前記話題着目期間に応じて番組情報に含まる単語を選択する番組情報選択ステップと、前記話題着目期間に対応して選択された番組情報に含まれる単語と前記話題着目期間に対応して選択されなかった番組情報に含まれる単語とを用いて前記話題着目期間の話題キーワードを計算する話題キーワード計算ステップとを有することを特徴とする。
【００１３】
本発明の第７の態様によるキーワード抽出提供方法は、第６の態様によるキーワード抽出提供方法において、前記計算された話題キーワードをユーザに伝達するための文として生成する話題キーワード出力文合成ステップを更に含むことを特徴とする。
【００１４】
本発明の第８の態様による発明は、第６又は第７の態様によるキーワード抽出提供方法において、前記話題着目期間設定ステップで設定される話題着目期間が、特定の一日であることを特徴とする。
【００１５】
本発明の第９の態様による発明は、第６又は第７の態様によるキーワード抽出提供方法において、前記話題着目期間設定ステップで設定される話題着目期間が、一定期間であることを特徴とする。
【００１６】
本発明の第１０の態様による発明は、第６ないし第１０のいずれかの態様によるキーワード抽出提供方法において、前記話題着目期間設定ステップで設定される話題着目期間は、ユーザが入力部により設定可能であることを特徴とする。
【００１７】
本発明の第１１の態様によるキーワード抽出提供プログラムを記録した記録媒体は、話題キーワードを抽出する話題着目期間を設定する話題着目期間設定ステップと、前記話題着目期間に応じて番組情報に含まれる単語を選択する番組情報選択ステップと、前記話題着目期間に対応して選択された番組情報に含まれる単語と前記話題着目期間に対応して選択されなかった番組情報に含まれる単語とを用いて前記話題着目期間の話題キーワードを計算する話題キーワード計算ステップとを実行するプログラムが記憶されたことを特徴とする。
【００１８】
本発明の第１２の態様による発明は、第１１の態様による記録媒体において、前記計算された話題キーワードをユーザに伝達するための文として生成する話題キーワード出力文合成ステップを更に含むことを特徴とする。
【００１９】
本発明の第１３の態様による発明は、第１１又は第１２の態様による記録媒体において
、前記話題着目期間設定ステップで設定される話題着目期間が、特定の一日であることを特徴とする。
【００２０】
本発明の第１４の態様による発明は、第１１又は第１２の態様による記録媒体において、前記話題着目期間設定ステップで設定される話題着目期間が、一定期間であることを特徴とする。
【００２１】
本発明の第１５の態様による発明は、第１１ないし第１４の態様による記録媒体において、前記話題着目期間設定ステップで設定される話題着目期間は、ユーザが入力部により設定可能であることを特徴とする。
【発明の効果】
【００２２】
本発明の話題キーワード抽出提供装置によれば、特定の日などの短い期間に高い頻度で出現し、その他の期間には出現の少ない話題キーワードや、所定の期間内に高い頻度で出現する話題キーワードを確実に抽出することができる。
【発明を実施するための最良の形態】
【００２３】
以下、本発明の実施例について図面を用いて説明する。なお、以下の実施例では、本発明のキーワード抽出提供装置およびキーワード抽出提供方法を、テレビ受信に適応した場合を例にとって説明する。
【００２４】
（実施の形態１）
図１は、本発明の実施の形態１によるテレビに組み込まれたキーワード抽出提供装置の構造を示すブロック図、図２は、話題キーワード抽出および提供の処理を説明するフローチャートである。
【００２５】
テレビ受信機１は、アンテナ１１で受信した放送波から番組情報を受信、復調する番組情報受信部１２および受信した番組情報を画像として表示する表示部２２を有している。
【００２６】
キーワード抽出提供装置１０は、テレビ受信機１で受信した番組情報から話題キーワードを抽出および提供するために、番組情報受信部１２で受信した番組情報を蓄積する番組情報蓄積部１３、蓄積された番組情報を単語に分割する形態素解析部１４、形態素解析された番組情報の単語を蓄積する単語分割番組情報蓄積部１５、話題キーワードを抽出する期間を設定する話題着目期間設定部１６、単語分割された番組情報を話題着目期間において選択する番組情報選択部１７、話題着目期間において選択された番組情報を蓄積する着目期間番組情報蓄積部１９、話題着目期間において選択されなかった番組情報を蓄積する着目期間以外番組情報蓄積部１８、着目期間に蓄積された番組情報と着目期間以外の番組情報から着目期間の話題キーワードを計算する話題キーワード計算部２０、計算された話題キーワードをユーザに伝達するための文として生成する話題キーワード出力文合成部２１を有している。
【００２７】
つぎに動作を説明する。番組情報受信部１２は、アンテナ１１により受信した放送波から番組情報を受信する。受信した番組情報は、番組情報蓄積部１３に蓄積可能な量に達するまで蓄積される（ステップＳ２１）。蓄積された番組情報は、形態素解析部１４により単語に分割され、単語の列に分割された番組情報は、単語分割番組情報蓄積部１５に蓄積される（ステップＳ２２）。
【００２８】
一方、話題着目期間設定部１６により話題キーワードを抽出する期間を設定する。話題着目期間設定部１６は、入力部を有しており、ユーザがその入力部を操作すると、表示部２２に図３に示すような画面が表示される。
【００２９】
図３の画面は、話題を抽出する期間を設定する画面を示しており、ユーザがスライダースケール３１を操作し、たとえば、「今日」、「二日前から今日までの三日間」、「今日までの一ヶ月間」、「今日までの一年間」などの設定を行う。これらの期間は、スライダースケール３１にこれら以外の期間を設定しておけば、その他の期間を設定することができる。また、スライダースケール３１を使用せずに、図示していない期間入力窓を利用してキーボードなどにより自由に入力、設定するようにすることもできる。こうしてユーザは、話題キーワードを抽出するための話題着目期間を設定する（ステップＳ２３）。
【００３０】
話題着目期間は任意に設定され、たとえば、放送当日の大きなニュースや行事などに関する話題キーワードを抽出する場合には、話題着目期間を放送当日に設定する。また、今日以降の数日間に渡って行われる行事やイベント、たとえば、即日開票と翌日開票が行われる選挙結果や全米オープンゴルフや野球の日本シリーズなどでは、当該行事やイベントの期間を話題着目期間として設定する。同様に、１日の中の特定の時間帯における話題を抽出したい場合は、「特定の時間帯」として設定し、今日から１ヶ月間の話題を抽出したい場合は、「今日から１ヶ月間」と設定し、今日から１年間の話題を抽出したい場合は、「今日から１年間」というように設定する。
【００３１】
また、過去の特定日から未来の特定日までを話題抽出期間と設定することも可能である。例えば、「一昨日から３日後」、「１週間前から１週間後」などの設定も可能である。
【００３２】
番組情報選択部１７は、設定された話題着目期間をもとに、単語分割番組情報蓄積部１５に蓄積されている単語に分割され蓄積されている番組情報のうち話題着目期間設定部１６により設定された話題着目期間内にあるものを選択し、着目期間番組情報蓄積部１９に蓄積する。また、単語分割番組情報蓄積部１５に蓄積されている単語に分割され蓄積されている番組情報のうち話題着目期間以外のものは着目期間以外番組情報蓄積部１８に蓄積する。こうして単語分割番組情報蓄積部１５に蓄積されている番組情報は話題着目期間内および話題着目期間以外に分割されてそれぞれ蓄積される（ステップＳ２４）。
【００３３】
なお、蓄積されていない番組情報については、番組情報を受信した後に、設定された話題着目期間内にあるものを選択することも可能である。
【００３４】
話題キーワード出力文合成部２１は、話題着目期間に応じて着目期間番組情報蓄積部１９に蓄積された着目期間内番組情報と着目期間以外番組情報蓄積部１８に蓄積された着目期間以外番組情報との両方を用いて（数１）で示すＴＦＩＤＦで着目期間の話題キーワードを計算する（ステップＳ２５）。
【００３５】
【数１】
2005122254.tif 000003
【００３６】
ここで、（数１）は、全番組数に対して、着目期間番組情報蓄積部１９に含まれる単語の割合を求めるものであるため、着目期間番組情報蓄積部１９に含まれる単語数が同一であっても、その単語を含む番組数が少ない場合は、ＴＦＩＤＦは大きな値となる。このため、着目期間番組情報蓄積部１９に含まれる単語に対して、ＴＦＩＤＦを計算し、予め定
めた閾値以上となる単語を話題キーワードとすることができる。また、話題キーワードを予め定めた個数とする場合は、計算したＴＦＩＤＦの値から上位数個を選択することで、話題キーワードとすることができる。
【００３７】
次に、計算された話題キーワードは、ユーザに伝達するために話題キーワード出力文合成部２１により話題キーワードを含む出力文として生成される。図４にユーザが設定した着目期間から話題キーワードとして抽出された単語をユーザに伝達するために生成した文の一例を示す。生成された話題キーワードを含む出力文は、表示部２２によりユーザに表示、伝達される（ステップＳ２６）。
【００３８】
（実施の形態２）
図５は、本発明の実施の形態２によるキーワード抽出提供装置の構成を示す図である。本実施の形態は、キーワード抽出提供プログラムをＣＤ−ＲＯＭなどの記録媒体５１に蓄積し、この記録媒体をテレビ受信機１に接続して話題キーワードの抽出を行うものである。
【００３９】
記録媒体５１には、図１におけるキーワード抽出提供装置１０、すなわち、番組情報蓄積部１３、形態素解析部１４、単語分割番組情報蓄積部１５、話題着目期間設定部１６、番組情報選択部１７、着目期間番組情報蓄積部１９、着目期間以外番組情報蓄積部１８、話題キーワード計算部２０および話題キーワード出力文合成部２１の機能および図２のステップＳ２１〜ステップＳ２６を実施するプログラムが記憶されており、テレビ受信機１に接続されているコンピュータ５０により実行することで、実施の形態１と同様に所定の話題キーワードの抽出と提供を行うことができる。なお、話題キーワードの抽出と提供の動作は、実施の形態１と同様であるので説明は省略する。
【産業上の利用可能性】
【００４０】
本発明にかかるキーワード抽出提供装置、キーワード提供方法および記録媒体は、テレビ放送される番組に付随する番組の情報から話題キーワードを抽出するテレビ受信機に有用である。
【図面の簡単な説明】
【００４１】
【図１】本発明の実施の形態１におけるキーワード抽出提供装置の構造を示すブロック図
【図２】本発明の実施の形態１におけるキーワード抽出提供装置の動作を説明するフローチャート
【図３】本発明の実施の形態１におけるキーワード抽出提供装置の着目期間設定画面を説明する図
【図４】本発明の実施の形態１におけるキーワード抽出提供装置の話題キーワード文を説明する図
【図５】本発明の実施の形態２におけるキーワード抽出提供装置の構成を示す図
【符号の説明】
【００４２】
１  テレビ受信機
１０  キーワード抽出提供装置
１１  アンテナ
１２  番組情報受信部
１３  番組情報蓄積部
１４  形態素解析部
１５  単語分割番組情報蓄積部
１６  話題着目期間設定部
１７  番組情報選択部
１８  着目期間以外番組情報蓄積部
１９  着目期間番組情報蓄積部
２０  話題キーワード計算部
２１  話題キーワード出力文合成部
２２  表示部
３１  スライダースケール
５１  記録媒体
【図１】
2005122254.tif 000004
【図２】
2005122254.tif 000005
【図３】
2005122254.tif 000006
【図４】
2005122254.tif 000007
【図５】
2005122254.tif 000008